(57)【要約】【課題】フィーダを脱穀装置の入口に取り付ける作業がし易い普通型コンバインを提供することを目的とする。【解決手段】脱穀装置と、脱穀装置に刈取穀稈を搬送するフィーダ５と、フィーダ５の出口側端部における両横側部と脱穀装置の入口との間に存在する隙間を覆う左右一対のカバー板５７と、左右一対のカバー板５７の左右間隔を変更可能な間隔変更機構５８と、を備える。【選択図】図８
2014161262.tif 000002
【特許請求の範囲】
【請求項１】
脱穀装置と、
前記脱穀装置に刈取穀稈を搬送するフィーダと、
前記フィーダの出口側端部における両横側部と前記脱穀装置の入口との間に存在する隙間を覆う左右一対のカバー部材と、
左右一対の前記カバー部材の左右間隔を変更可能な間隔変更機構と、を備える普通型コンバイン。
【請求項２】
前記間隔変更機構は、前記カバー部材を前記脱穀装置にスライド可能に支持させる請求項１に記載の普通型コンバイン。
【請求項３】
前記間隔変更機構は、前記カバー部材及び前記脱穀装置のうち何れか一方に形成された左右方向に長い長孔と、前記カバー部材を前記脱穀装置に締結する締結具と、を備える請求項２に記載の普通型コンバイン。
【請求項４】
前記間隔変更機構は、前記カバー部材を前記脱穀装置に着脱可能に支持させる請求項１に記載の普通型コンバイン。
【請求項５】
前記間隔変更機構は、前記カバー部材を前記脱穀装置に締結する締結具を備え、
前記フィーダの出口側端部は、軸受部材に上下揺動可能に支持され、
前記軸受部材は、前記カバー部材と共に前記締結具で前記脱穀装置に締結されている請求項２から４までの何れか一項に記載の普通型コンバイン。
【請求項６】
前記カバー部材は、前記軸受部材と前記脱穀装置との間に配置されている請求項５に記載の普通型コンバイン。
【請求項７】
前記カバー部材を前記脱穀装置に仮止めする仮止具を備える請求項６に記載の普通型コンバイン。
【請求項８】
前記仮止具は、前記カバー部材における上下方向の略中央部を前記脱穀装置に仮止めする請求項７に記載の普通型コンバイン。
【請求項９】
前記軸受部材には、前記仮止具との干渉を避けるための凹部が形成されている請求項８に記載の普通型コンバイン。
【請求項１０】
前記仮止具は、樹脂製である請求項７から９までの何れか一項に記載の普通型コンバイン。
【発明の詳細な説明】
【技術分野】
【０００１】
本発明は、普通型コンバインに関する。より詳細には、脱穀装置に刈取穀稈を搬送するフィーダを備える普通型コンバインに関する。
【背景技術】
【０００２】
上記のような普通型コンバインとして、例えば、特許文献１に記載の普通型コンバインが既に知られている。特許文献１に記載の普通型コンバインでは、刈取穀稈がフィーダで脱穀装置に搬送される。
【０００３】
ここで、フィーダの出口側端部における両横側部と脱穀装置の入口との間には、隙間が存在しているところ、フィーダの出口側端部における隙間から、刈取穀稈に含まれる穀粒が漏れ落ちる可能性がある。そこで、フィーダの出口側端部における隙間を、左右一対のカバー部材で覆うことが通常行われている。
【先行技術文献】
【特許文献】
【０００４】
【特許文献１】特開２０１２−２１０１６４号公報
【発明の概要】
【発明が解決しようとする課題】
【０００５】
従来の普通型コンバインでは、左右一対のカバー部材が脱穀装置の入口に溶接固定されている、あるいは脱穀装置の入口に一体的に設けられている。そして、左右一対のカバー部材の左右間隔は、刈取穀稈に含まれる穀粒が漏れ落ちるのを効果的に防止する観点から、フィーダの出口側端部の幅と略同一の長さに設定されている。このため、フィーダを脱穀装置の入口に取り付ける際に、左右一対のカバー部材が邪魔になることから、フィーダを脱穀装置の入口に取り付ける作業がし難い。
【０００６】
本発明は以上の如き状況に鑑みてなされたものであり、フィーダを脱穀装置の入口に取り付ける作業がし易い普通型コンバインを提供することを目的とする。
【課題を解決するための手段】
【０００７】
本発明の特徴は、脱穀装置と、前記脱穀装置に刈取穀稈を搬送するフィーダと、前記フィーダの出口側端部における両横側部と前記脱穀装置の入口との間に存在する隙間を覆う左右一対のカバー部材と、左右一対の前記カバー部材の左右間隔を変更可能な間隔変更機構と、を備えることにある。
【０００８】
本特徴構成によれば、フィーダを脱穀装置の入口に取り付ける際に、左右一対のカバー部材の左右間隔を間隔変更機構で広げることができる。これにより、フィーダを脱穀装置の入口に取り付ける作業がし易い。
【０００９】
さらに、本発明において、前記間隔変更機構は、前記カバー部材を前記脱穀装置にスライド可能に支持させると好適である。
【００１０】
本特徴構成によれば、カバー部材をスライドさせるだけで、左右一対のカバー部材の左右間隔を簡単に変更することができる。
【００１１】
さらに、本発明において、前記間隔変更機構は、前記カバー部材及び前記脱穀装置のうち何れか一方に形成された左右方向に長い長孔と、前記カバー部材を前記脱穀装置に締結する締結具と、を備えると好適である。
【００１２】
本特徴構成によれば、長孔と締結具とにより、間隔変更機構を簡単に構成することができる。
【００１３】
さらに、本発明において、前記間隔変更機構は、前記カバー部材を前記脱穀装置に着脱可能に支持させると好適である。
【００１４】
本特徴構成によれば、カバー部材を着脱するだけで、左右一対のカバー部材の左右間隔を簡単に変更することができる。
【００１５】
さらに、本発明において、前記間隔変更機構は、前記カバー部材を前記脱穀装置に締結する締結具を備え、前記フィーダの出口側端部は、軸受部材に上下揺動可能に支持され、前記軸受部材は、前記カバー部材と共に前記締結具で前記脱穀装置に締結されていると好適である。
【００１６】
本特徴構成によれば、軸受部材とカバー部材とをまとめて、締結具で脱穀装置に簡単に締結することができる。
【００１７】
さらに、本発明において、前記カバー部材は、前記軸受部材と前記脱穀装置との間に配置されていると好適である。
【００１８】
本特徴構成によれば、軸受部材と脱穀装置との間に、カバー部材をコンパクトに配置することができる。また、フィーダの出口側端部における隙間をカバー部材で覆うのに、軸受部材が邪魔にならないため、フィーダの出口側端部における隙間をカバー部材で覆い易い。
【００１９】
さらに、本発明において、前記カバー部材を前記脱穀装置に仮止めする仮止具を備えると好適である。
【００２０】
本特徴構成によれば、軸受部材とカバー部材とを共に締結具で脱穀装置に締結する際に、先にカバー部材を仮止具で脱穀装置に仮止することができるため、これらを締結する作業がし易い。
【００２１】
さらに、本発明において、前記仮止具は、前記カバー部材における上下方向の略中央部を前記脱穀装置に仮止めすると好適である。
【００２２】
本特徴構成によれば、カバー部材における上下方向の略中央部が、仮止具で脱穀装置に仮止めされることにより、仮止具で仮止めした状態におけるカバー部材の姿勢が安定する。
【００２３】
さらに、本発明において、前記軸受部材には、前記仮止具との干渉を避けるための凹部が形成されていると好適である。
【００２４】
本特徴構成によれば、カバー部材が仮止具で脱穀装置に仮止めされた状態であっても、仮止具が軸受部材と干渉することがないため、軸受部材とカバー部材とを共に締結具で脱穀装置に締結することができる。
【００２５】
さらに、本発明において、前記仮止具は、樹脂製であると好適である。
【００２６】
本特徴構成によれば、仮止具が樹脂製であることから、仮止具がある程度の変形を許容する。したがって、カバー部材を仮止具で仮止めした状態のままで、軸受部材とカバー部材とを共に締結具で脱穀装置に締結したとしても、間隔変更機構による左右一対のカバー部材の左右間隔の変更を阻害することがない。
【図面の簡単な説明】
【００２７】
【図１】コンバインを示す側面図である。
【図２】コンバインを示す平面図である。
【図３】脱穀装置を示す側面断面図である。
【図４】唐箕を示す正面図である。
【図５】脱穀装置及びフィーダの出口側端部を示す側面図である。
【図６】脱穀装置及びフィーダの出口側端部を示す正面断面図である。
【図７】フィーダを示す平面断面図である。
【図８】フィーダの出口側端部を示す側面断面図である。
【図９】フィーダの出口側端部を示す平面断面図である。
【図１０】フィーダの出口側端部を示す正面断面図である。
【発明を実施するための形態】
【００２８】
以下、本発明を実施するための形態について図面に基づき説明する。
【００２９】
先ず、コンバインの全体構成について、図１及び図２により説明する。
【００３０】
図１及び図２には、稲や麦等の作物を収穫するコンバインの一例として、普通型コンバインを示している。コンバインにおける前部には、植立穀稈を刈り取る刈取部１が設けられている。刈取部１の後方には、圃場を走行可能なクローラ式の走行装置２が備えられている。走行装置２の上部には、機体フレーム３が設けられている。
【００３１】
機体フレーム３上における左側には、刈取穀稈を脱穀する脱穀装置４が載置支持されている。脱穀装置４と刈取部１との間には、刈取部１からの刈取穀稈を脱穀装置４に搬送するフィーダ５が設けられている。フィーダ５の出口側端部（後端部）は、駆動軸５０を介して上下揺動可能に支持されている。また、機体フレーム３上における右側前部には、運転部６及びエンジン７が載置支持されている。エンジン７は、運転部６の下部に収容されている。また、機体フレーム３上における右側後部には、脱穀後の穀粒を取り出すホッパ式の穀粒取出部９が載置支持されている。
【００３２】
コンバインは、走行装置２で圃場を走行しながら、刈取部１で植立穀稈を刈り取り、刈取穀稈をフィーダ５で脱穀装置４に搬送し、刈取穀稈を脱穀装置４で脱穀し、脱穀後の穀粒を穀粒取出部９から取り出すことができる。
【００３３】
次に、脱穀装置４について、図３及び図４により説明する。
【００３４】
図３に示すように、脱穀装置４の上部には、扱室４０が形成されている。扱室４０には、脱穀処理用の扱胴４１が前後向きの軸心Ｙ周りに回転可能に設けられている。扱胴４１の下方には、脱穀処理で得られた処理物（脱穀処理物）を漏下させる受網４２が設けられている。
【００３５】
脱穀装置４の下部には、揺動選別用の揺動選別装置４３、及び風選別用の唐箕４４が設けられている。唐箕４４の後方には、前方から順に、一番物の穀粒を回収する一番回収部４５、及び二番物の穀粒を回収する二番回収部４６が設けられている。一番回収部４５には、穀粒を左右方向に搬送する一番横スクリュー４５Ａが設けられている。二番回収部４６には、穀粒を左右方向に搬送する二番横スクリュー４６Ａが設けられている。
【００３６】
脱穀装置４では、刈取穀稈が扱胴４１で脱穀処理され、脱穀処理で得られた処理物（脱穀処理物）が受網４２から漏下する。そして、受網４２から漏下した脱穀処理物に対して、揺動選別装置４３による揺動選別及び唐箕４４による風選別が施される。これにより、比重が大きい単粒化穀粒は、前方の一番回収部４５に一番物として回収され、比重が小さい枝梗付き穀粒は、後方の二番回収部４６に二番物として回収される。
【００３７】
図４に示すように、唐箕４４は、左右向きの唐箕軸４４Ａと、唐箕軸４４Ａに支持される四枚の羽根４４Ｂと、を備えている。羽根４４Ｂと唐箕軸４４Ａとは、左右二つの連結アーム４４Ｃで連結されている。連結アーム４４Ｃは、唐箕軸４４Ａに連結されるボス部４４Ｄと、ボス部４４Ｄから略放射状に延出する四本のアーム４４Ｅと、を備えている。
【００３８】
アーム４４Ｅの基端部は、ボス部４４Ｄに溶接固定されている。アーム４４Ｅの先端部側には、羽根４４Ｂが溶接固定されている。アーム４４Ｅの基端部側の幅Ｗ１は、アーム４４Ｅの先端部側の幅Ｗ２よりも狭い。アーム４４Ｅの基端部側には、切欠部４４Ｆが形成されている。具体的には、アーム４４Ｅの基端部側における先端部側との境界部に、切欠部４４Ｆが形成されている。切欠部４４Ｆは、例えば、略半円形状に形成されている。アーム４４Ｅの基端部側に切欠部４４Ｆが形成されていることにより、アーム４４Ｅの基端部側に発生する応力を低減することができる。
【００３９】
次に、フィーダ５について、図５から図７により説明する。
【００４０】
図５から図７に示すように、フィーダ５の出口側端部（後端部）は、駆動軸５０を介して上下揺動可能に左右一対の軸受ブラケット５１（本発明に係る「軸受部材」に相当）に支持されている。フィーダ５には、刈取部１と脱穀装置４とを連通させるフィーダケース５２が備えられている。フィーダケース５２の出口側端部における両横側部（左右両側部）と脱穀装置４の入口との間に存在する隙間は、左右一対のカバー板５７（本発明に係る「カバー部材」に相当）で覆われている。フィーダケース５２の入口側端部（前端部）には、従動回動体５３が回動可能に支持されている。フィーダケース５２の出口側端部（後端部）には、駆動回動体５４が回動可能に支持されている。従動回動体５３と駆動回動体５４とには、搬送チェーン５５が巻き付けられている。フィーダ５では、駆動回動体５４及び従動回動体５３が回動することにより、刈取穀稈が搬送チェーン５５で脱穀装置４に搬送される。
【００４１】
駆動回動体５４は、駆動軸５０に設けられている。駆動軸５０の左右両端部は、フィーダケース５２の左右両側板から横外方に突出している。駆動軸５０の左右両端部は、左右一対の軸受ブラケット５１に回動可能に支持されている。左右一対の軸受ブラケット５１は、ボルト５６（本発明に係る「締結具」に相当）で、左右一対の脱穀フレーム４７に締結されている。
【００４２】
次に、カバー板５７及び間隔変更機構５８について、図８から図１０により説明する。
【００４３】
図８から図１０に示すように、左右一対のカバー板５７は、ボルト５６で左右一対の脱穀フレーム４７に締結されている。つまり、軸受ブラケット５１は、カバー板５７と共にボルト５６で脱穀フレーム４７に締結されている。また、カバー板５７は、平面視において略Ｌ字形状に形成された板状部材である。具体的には、カバー板５７は、フィーダケース５２の横側面に沿う側板５７Ａと、脱穀フレーム４７の前面に沿う前板５７Ｂと、を備えている。
【００４４】
側板５７Ａは、軸受ブラケット５１とフィーダケース５２の側板との左右間に配置されている。側板５７Ａには、駆動軸５０の径よりも大きい切欠部５７ａが形成されている。切欠部５７ａは、駆動軸５０との干渉を避けるためのものである。
【００４５】
前板５７Ｂは、軸受ブラケット５１と脱穀フレーム４７との前後間に配置されている。つまり、前板５７Ｂは、軸受ブラケット５１と脱穀フレーム４７とで挟み込み支持されている。また、前板５７Ｂには、ボルト５６が挿通される長孔５７ｂが複数形成されている。長孔５７ｂは、左右方向に長い長孔である。長孔５７ｂの数は、例えば、四つである。また、前板５７Ｂには、仮止具５９が挿通される仮止孔５７ｃが形成されている。
【００４６】
仮止孔５７ｃは、前板５７Ｂにおける上下方向の略中央部に形成されている。つまり、仮止孔５７ｃは、前板５７Ｂにおける四つの長孔５７ｂの上下中間位置に形成されている。具体的には、仮止孔５７ｃは、前板５７Ｂにおける四つの長孔５７ｂのうち、上から二つ目の長孔５７ｂと上から三つ目の長孔５７ｂとの間の上下中間位置に形成されている。仮止孔５７ｃは、左右方向に長い長孔である。
【００４７】
仮止具５９は、カバー板５７を脱穀フレーム４７に仮止めするものである。仮止具５９は、樹脂製クリップである。仮止具５９は、カバー板５７における上下方向の略中央部を脱穀フレーム４７に仮止めしている。脱穀フレーム４７には、仮止具５９が挿通される仮止孔４７ａが形成されている。
【００４８】
間隔変更機構５８は、左右一対のカバー板５７の左右間隔を変更可能なものである。間隔変更機構５８は、カバー板５７を脱穀フレーム４７にスライド可能かつ着脱可能に支持させている。具体的には、間隔変更機構５８は、前板５７Ｂに形成された左右方向に長い長孔５７ｂと、カバー板５７を脱穀フレーム４７に締結するボルト５６と、を備えている。
【００４９】
次に、カバー板５７と軸受ブラケット５１とを共にボルト５６で脱穀フレーム４７に締結する方法、及び、左右一対のカバー板５７の左右間隔を間隔変更機構５８で変更する方法について説明する。
【００５０】
ここで、軸受ブラケット５１には、ボルト５６が挿通されるボルト孔５１ａが形成されている。脱穀フレーム４７には、ボルト５６が挿通されるボルト孔４７ｃ、４７ｄが形成されている。ボルト孔４７ｃには、溶接ナット４７ｂが設けられている。ボルト孔４７ｄは、軸部４７ｅに形成されている。
【００５１】
先ず、カバー板５７と軸受ブラケット５１とを共にボルト５６で脱穀フレーム４７に締結するには、カバー板５７を仮止具５９で脱穀フレーム４７に仮止する。具体的には、カバー板５７の仮止孔５７ｃと、脱穀フレーム４７の仮止孔５７ｃとに、仮止具５９を挿通する。これにより、カバー板５７を仮止具５９で脱穀フレーム４７に仮止することができる。
【００５２】
そして、カバー板５７を仮止具５９で脱穀フレーム４７に仮止めした状態で、軸受ブラケット５１のボルト孔５１ａと、カバー板５７の長孔５７ｂと、脱穀フレーム４７のボルト孔４７ｃ及び溶接ナット４７ｂと、脱穀フレーム４７のボルト孔４７ｄと、にボルト５６を挿通する。これにより、カバー板５７と軸受ブラケット５１とを共にボルト５６で脱穀フレーム４７に締結することができる。
【００５３】
ここで、軸受ブラケット５１には、仮止具５９との干渉を避けるために凹部５１ｂが形成されている。凹部５１ｂは、仮止具５９における脱穀フレーム４７から突出する部分よりも大きく形成されている。これにより、カバー板５７が仮止具５９で脱穀フレーム４７に仮止めされた状態であっても、仮止具５９が軸受ブラケット５１と干渉することがないため、軸受ブラケット５１とカバー板５７とを共にボルト５６で脱穀フレーム４７に締結することができる。
【００５４】
そして、ボルト５６を緩めることにより、カバー板５７を長孔５７ｂに沿って左右方向にスライドさせることができる。つまり、左右一対のカバー板５７の左右間隔を変更することができる。このとき、左右一対のカバー板５７のうち何れか一方のカバー板５７だけをスライドさせてもよいし、何れのカバー板５７もスライドさせてもよい。
【００５５】
また、ボルト５６を取り外すことにより、カバー板５７を脱穀フレーム４７から取り外すことができる。つまり、左右一対のカバー板５７の左右間隔を変更することができる。このとき、左右一対のカバー板５７のうち何れか一方のカバー板５７だけを取り外してもよいし、何れのカバー板５７も取り外してもよい。
【００５６】
以上のような構成により、フィーダ５を脱穀装置４の入口に取り付ける際に、左右一対のカバー板５７の左右間隔を間隔変更機構５８で広げることができる。これにより、フィーダ５を脱穀装置４の入口に取り付ける作業がし易い。
【００５７】
以下、本発明に係る別実施形態について説明する。
【００５８】
（１）上記実施形態において、左右一対のカバー板５７のうち何れのカバー板５７も、間隔変更機構５８でスライド可能かつ着脱可能に脱穀装置４に支持されているが、左右一対のカバー板５７のうち何れか一方のカバー板５７だけが、間隔変更機構５８でスライド可能かつ着脱可能に脱穀装置４に支持されていてもよい。
【００５９】
（２）上記実施形態において、間隔変更機構５８は、カバー板５７を脱穀装置４にスライド可能かつ着脱可能に支持させているが、間隔変更機構５８は、カバー板５７を脱穀装置４にスライド可能かつ着脱不能に支持させるものでも、カバー板５７を脱穀装置４にスライド不能かつ着脱可能に支持させるものでもよい。
【００６０】
（３）上記実施形態において、カバー板５７は、板状部材であるが、「カバー部材」は、フィーダケース５２の出口側端部における両横側部と脱穀装置４の入口との間に存在する隙間を覆うものであれば、板状部材でなくてもよい。
【００６１】
（４）上記実施形態において、長孔５７ｂは、カバー板５７に形成されているが、長孔５７ｂは、脱穀装置４に形成されていてもよい。
【００６２】
（５）上記実施形態において、長孔５７ｂの数は、四つであるが、長孔５７ｂの数は、三つ以下でも、五つ以上でもよい。
【００６３】
（６）上記実施形態において、仮止具５９は、樹脂製クリップであるが、仮止具５９は、抜け止め効果のある樹脂製のピン等や、金属製のものでもよい。
【産業上の利用可能性】
【００６４】
本発明は、脱穀装置に刈取穀稈を搬送するフィーダを備える普通型コンバインに利用可能である。
【符号の説明】
【００６５】
４  脱穀装置
５  フィーダ
５１  軸受ブラケット（軸受部材）
５１ｂ  凹部
５６  ボルト（締結具）
５７  カバー板（カバー部材）
５７ｂ  長孔
５８  間隔変更機構
５９  仮止具
【図１】
2014161262.tif 000003
【図２】
2014161262.tif 000004
【図３】
2014161262.tif 000005
【図４】
2014161262.tif 000006
【図５】
2014161262.tif 000007
【図６】
2014161262.tif 000008
【図７】
2014161262.tif 000009
【図８】
2014161262.tif 000010
【図９】
2014161262.tif 000011
【図１０】
2014161262.tif 000012